【手続補正書】
【提出日】平成16年2月10日(2004.2.10)
【手続補正１】
【補正対象書類名】明細書
【補正対象項目名】特許請求の範囲
【補正方法】変更
【補正の内容】
【特許請求の範囲】
【請求項１】
ディジタルデータ放送受信装置におけるジャンルによる番組検索方法であって、予め視聴履歴をとることによって得られた視聴割合の高いジャンルの上位数ジャンルを持ったチャンネルの検索リストを記憶手段に作成し、番組検索時には前記検索リストに基づき視聴割合の高い前記ジャンルを持ったチャンネルのジャンルから検索する手段を備えたことを特徴とする放送受信方法。
【請求項２】
ディジタルデータ放送受信装置におけるジャンルによる番組検索方法であって、予め良く見るチャンネルを第１の検索リストとして記憶手段に登録し、予めチャンネル契約情報から非契約チャンネルを除外した第２の検索リストを記憶手段に作成し、予め受信障害により視聴不能なチャンネルを除外した第３の検索リストを記憶手段に作成し、予め視聴履歴をとることによって得られた視聴割合の高いジャンルの上位数ジャンルを持ったチャンネルの第４の検索リストを記憶手段に作成し、番組検索時には前記第１〜第４の検索リストから少なくとも１つを選択し、該選択された検索リスト内のチャンネルのジャンルから検索する手段を備えたことを特徴とする放送受信方法。
【請求項３】
各伝送チャンネル毎に番組検索のためのサービス情報が付加された放送信号を受信し、受信した放送信号から所定の伝送チャンネルを選局する選局回路と、前記選局回路により選局された信号を復調処理し、さらに番組検索を行うためのオンスクリーン表示データを付加して出力する復調及び映像・音声処理回路と、前記復調及び映像・音声処理回路からの信号を映像表示する表示手段と、前記選局回路により選局された信号に含まれる、前記サービス情報を抽出するデータ抽出回路と、視聴者の操作により入力された所望のジャンル情報を記憶する記憶手段と、前記データ抽出回路によって抽出されたサービス情報からジャンル情報を取得すると共に、前記記憶手段に記憶された所望のジャンル情報とを比較し、この所望のジャンル情報と一致するジャンル情報の付加された番組の伝送チャンネルの中から視聴者の操作により選局するように前記選局回路を制御する制御手段とを具備したディジタルデータ放送受信装置におけるジャンルによる番組検索を行う放送受信装置であって、前記制御手段は、視聴者の操作により予め良く見るチャンネルを検索リストとして前記記憶手段に登録する手段と、番組検索時には、視聴者の操作により所望ジャンルを入力したとき、前記選局回路に対して前記検索リスト内のチャンネルを選局するよう制御すると共に、前記検索リスト内のチャンネルの選局によって得られるサービス情報内のジャンル情報と前記視聴者によって入力された所望のジャンル情報とを比較し、一致した場合にそのチャンネルと該チャンネルの番組情報の番組表示リストを前記記憶手段に作成して、前記表示手段にオンスクリーン表示データとして出力する手段と、視聴者の操作により前記のオンスクリーン表示された番組表示リストから所望の番組を選択したとき、その番組の伝送チャンネルを選局するように前記選局回路を制御する手段とを具備したことを特徴とする放送受信装置。
【請求項４】
各伝送チャンネル毎に番組検索のためのサービス情報が付加された放送信号を受信し、受信した放送信号から所定の伝送チャンネルを選局する選局回路と、前記選局回路により選局された信号を復調処理し、さらに番組検索を行うためのオンスクリーン表示データを付加して出力する復調及び映像・音声処理回路と、前記復調及び映像・音声処理回路からの信号を映像表示する表示手段と、前記選局回路により選局された信号に含まれる、前記サービス情報を抽出するデータ抽出回路と、視聴者の操作により入力された所望のジャンル情報を記憶する記憶手段と、前記データ抽出回路によって抽出されたサービス情報からジャンル情報を取得すると共に、前記記憶手段に記憶された所望のジャンル情報とを比較し、この所望のジャンル情報と一致するジャンル情報の付加された番組の伝送チャンネルの中から視聴者の操作により選局するように前記選局回路を制御する制御手段とを具備したディジタルデータ放送受信装置におけるジャンルによる番組検索を行う放送受信装置であって、前記制御手段は、予めチャンネル契約情報に基づき非契約チャンネルを除外した検索リストを前記記憶手段に作成する手段と、番組検索時には、視聴者の操作により所望ジャンルを入力したとき、前記選局回路に対して前記検索リスト内のチャンネルを選局するよう制御すると共に、前記検索リスト内のチャンネルの選局によって得られるサービス情報内のジャンル情報と前記視聴者によって入力された所望のジャンル情報とを比較し、一致した場合にそのチャンネルと該チャンネルの番組情報の番組表示リストを前記記憶手段に作成して、前記表示手段にオンスクリーン表示データとして出力する手段と、視聴者の操作により前記のオンスクリーン表示された番組表示リストから所望の番組を選択したとき、その番組の伝送チャンネルを選局するように前記選局回路を制御する手段とを具備したことを特徴とする放送受信装置。
【請求項５】
各伝送チャンネル毎に番組検索のためのサービス情報が付加された放送信号を受信し、受信した放送信号から所定の伝送チャンネルを選局する選局回路と、前記選局回路により選局された信号を復調処理し、さらに番組検索を行うためのオンスクリーン表示データを付加して出力する復調及び映像・音声処理回路と、前記復調及び映像・音声処理回路からの信号を映像表示する表示手段と、前記選局回路により選局された信号に含まれる、前記サービス情報を抽出するデータ抽出回路と、視聴者の操作により入力された所望のジャンル情報を記憶する記憶手段と、前記データ抽出回路によって抽出されたサービス情報からジャンル情報を取得すると共に、前記記憶手段に記憶された所望のジャンル情報とを比較し、この所望のジャンル情報と一致するジャンル情報の付加された番組の伝送チャンネルの中から視聴者の操作により選局するように前記選局回路を制御する制御手段とを具備したディジタルデータ放送受信装置におけるジャンルによる番組検索を行う放送受信装置であって、前記制御手段は、予め受信障害により視聴不能なチャンネルを除外した検索リストを前記記憶手段に作成する手段と、番組検索時には、視聴者の操作により所望ジャンルを入力したとき、前記選局回路に対して前記検索リスト内のチャンネルを選局するよう制御すると共に、前記検索リスト内のチャンネルの選局によって得られるサービス情報内のジャンル情報と前記視聴者によって入力された所望のジャンル情報とを比較し、一致した場合にそのチャンネルと該チャンネルの番組情報の番組表示リストを前記記憶手段に作成して、前記表示手段にオンスクリーン表示データとして出力する手段と、視聴者の操作により前記のオンスクリーン表示された番組表示リストから所望の番組を選択したとき、その番組の伝送チャンネルを選局するように前記選局回路を制御する手段とを具備したことを特徴とする放送受信装置。
【請求項６】
各伝送チャンネル毎に番組検索のためのサービス情報が付加された放送信号を受信し、受信した放送信号から所定の伝送チャンネルを選局する選局回路と、前記選局回路により選局された信号を復調処理し、さらに番組検索を行うためのオンスクリーン表示データを付加して出力する復調及び映像・音声処理回路と、前記復調及び映像・音声処理回路からの信号を映像表示する表示手段と、前記選局回路により選局された信号に含まれる、前記サービス情報を抽出するデータ抽出回路と、視聴者の操作により入力された所望のジャンル情報を記憶する記憶手段と、前記データ抽出回路によって抽出されたサービス情報からジャンル情報を取得すると共に、前記記憶手段に記憶された所望のジャンル情報とを比較し、この所望のジャンル情報と一致するジャンル情報の付加された番組の伝送チャンネルの中から視聴者の操作により選局するように前記選局回路を制御する制御手段とを具備したディジタルデータ放送受信装置におけるジャンルによる番組検索を行う放送受信装置であって、前記制御手段は、予め視聴履歴をとることによって得られた視聴割合の高いジャンルの上位数ジャンルを持ったチャンネルの検索リストを前記記憶手段に作成する手段と、番組検索時には、視聴者の操作により所望ジャンルを入力したとき、前記選局回路に対して前記検索リスト内のチャンネルを選局するよう制御すると共に、前記検索リスト内のチャンネルの選局によって得られるサービス情報内のジャンル情報と前記視聴者によって入力された所望のジャンル情報とを比較し、一致した場合にそのチャンネルと該チャンネルの番組情報の番組表示リストを前記記憶手段に作成して、前記表示手段にオンスクリーン表示データとして出力する手段と、視聴者の操作により前記のオンスクリーン表示された番組表示リストから所望の番組を選択したとき、その番組の伝送チャンネルを選局するように前記選局回路を制御する手段とを具備したことを特徴とする放送受信装置。
【請求項７】
各伝送チャンネル毎に番組検索のためのサービス情報が付加された放送信号を受信し、受信した放送信号から所定の伝送チャンネルを選局する選局回路と、前記選局回路により選局された信号を復調処理し、さらに番組検索を行うためのオンスクリーン表示データを付加して出力する復調及び映像・音声処理回路と、前記復調及び映像・音声処理回路からの信号を映像表示する表示手段と、前記選局回路により選局された信号に含まれる、前記サービス情報を抽出するデータ抽出回路と、視聴者の操作により入力された所望のジャンル情報を記憶する記憶手段と、前記データ抽出回路によって抽出されたサービス情報からジャンル情報を取得すると共に、前記記憶手段に記憶された所望のジャンル情報とを比較し、この所望のジャンル情報と一致するジャンル情報の付加された番組の伝送チャンネルの中から視聴者の操作により選局するように前記選局回路を制御する制御手段とを具備したディジタルデータ放送受信装置におけるジャンルによる番組検索を行う放送受信装置であって、前記制御手段は、視聴者の操作により予め良く見るチャンネルを第１の検索リストとして前記記憶手段に登録する手段と、予めチャンネル契約情報に基づき非契約チャンネルを除外した第２の検索リストを前記記憶手段に作成する手段と、予め受信障害により視聴不能なチャンネルを除外した第３の検索リストを前記記憶手段に作成する手段と、予め視聴履歴をとることによって得られた視聴割合の高いジャンルの上位数ジャンルを持ったチャンネルの第４の検索リストを前記記憶手段に作成する手段と、視聴者の操作により前記記憶手段に登録或いは作成される第１〜４の検索リストから少なくとも１つを適宜に選択する手段と、番組検索時には、視聴者の操作により所望ジャンルを入力したとき、前記選局回路に対して前記第１〜４の検索リストの内の選択された検索リスト内のチャンネルを選局するよう制御すると共に、該選択された検索リスト内のチャンネルの選局によって得られるサービス情報内のジャンル情報と前記視聴者によって入力された所望のジャンル情報とを比較し、一致した場合にそのチャンネルと該チャンネルの番組情報の番組表示リストを前記記憶手段に作成して、前記表示手段にオンスクリーン表示データとして出力する手段と、視聴者の操作により前記のオンスクリーン表示された番組表示リストから所望の番組を選択したとき、その番組の伝送チャンネルを選局するように前記選局回路を制御する手段とを具備したことを特徴とする放送受信装置。
【請求項８】
前記制御手段は、前記番組表示リストから選択した番組が現在放送されていない場合には、抽出されたサービス情報から前記番組の開始・終了時刻及び伝送チャンネルをタイマー予約データとして前記記憶手段に記憶させると共に、前記開始時刻に到達した場合には電源を投入して該制御手段を起動させて、前記タイマー予約データに基づく伝送チャンネルを選局するように制御する手段を具備したことを特徴とする請求項３〜７のいずれか１つに記載の放送受信装置。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】変更
【補正の内容】
【００２９】
【課題を解決するための手段】
請求項１記載の発明による放送受信方法は、ディジタルデータ放送受信装置におけるジャンルによる番組検索方法であって、予め視聴履歴をとることによって得られた視聴割合の高いジャンルの上位数ジャンルを持ったチャンネルの検索リストを記憶手段に作成し、番組検索時には前記検索リストに基づき視聴割合の高い前記ジャンルを持ったチャンネルのジャンルから検索することを特徴とする。


【手続補正９】
【補正対象書類名】明細書
【補正対象項目名】００３０
【補正方法】変更
【補正の内容】
【００３０】
請求項１の発明においては、記憶した視聴履歴より視聴割合の高い番組のジャンルより優先的に検索する。視聴履歴をとることにより視聴者の視聴番組の傾向を統計的にとる。視聴傾向の高い番組のジャンルより検索を開始し、検索範囲を上位から数ジャンルとして指定すれば検索速度の向上になる。なお、視聴履歴の取り方は、(a)視聴時間の長さが所定時間（例えば３０分間）以上のものをカウントする、(b)番組予約したらカウントする等、視聴者の視聴意識の明確なもののみをカウントするようにする。視聴履歴を使用した検索方法により、検索範囲を視聴割合の高いジャンルに限定できるため、検索速度の向上が可能となる。また、視聴傾向に即した検索が行えるため視聴者の好みに忠実な検索効果を得ることができる。


【手続補正１０】
【補正対象書類名】明細書
【補正対象項目名】００３１
【補正方法】変更
【補正の内容】
【００３１】
請求項２記載の発明による放送受信方法は、ディジタルデータ放送受信装置におけるジャンルによる番組検索方法であって、予め良く見るチャンネルを第１の検索リストとして記憶手段に登録し、予めチャンネル契約情報から非契約チャンネルを除外した第２の検索リストを記憶手段に作成し、予め受信障害により視聴不能なチャンネルを除外した第３の検索リストを記憶手段に作成し、予め視聴履歴をとることによって得られた視聴割合の高いジャンルの上位数ジャンルを持ったチャンネルの第４の検索リストを記憶手段に作成し、番組検索時には前記第１〜第４の検索リストから少なくとも１つを選択し、該選択された検索リスト内のチャンネルのジャンルから検索することを特徴とする。


【手続補正１１】
【補正対象書類名】明細書
【補正対象項目名】００３２
【補正方法】変更
【補正の内容】
【００３２】
請求項２の発明においては、視聴者が検索範囲を適宜に選択することができる。


【手続補正１２】
【補正対象書類名】明細書
【補正対象項目名】００３３
【補正方法】変更
【補正の内容】
【００３３】
請求項３記載の発明は、各伝送チャンネル毎に番組検索のためのサービス情報が付加された放送信号を受信し、受信した放送信号から所定の伝送チャンネルを選局する選局回路と、前記選局回路により選局された信号を復調処理し、さらに番組検索を行うためのオンスクリーン表示データを付加して出力する復調及び映像・音声処理回路と、前記復調及び映像・音声処理回路からの信号を映像表示する表示手段と、前記選局回路により選局された信号に含まれる、前記サービス情報を抽出するデータ抽出回路と、視聴者の操作により入力された所望のジャンル情報を記憶する記憶手段と、前記データ抽出回路によって抽出されたサービス情報からジャンル情報を取得すると共に、前記記憶手段に記憶された所望のジャンル情報とを比較し、この所望のジャンル情報と一致するジャンル情報の付加された番組の伝送チャンネルの中から視聴者の操作により選局するように前記選局回路を制御する制御手段とを具備したディジタルデータ放送受信装置におけるジャンルによる番組検索を行う放送受信装置であって、前記制御手段は、視聴者の操作により予め良く見るチャンネルを検索リストとして前記記憶手段に登録する手段と、番組検索時には、視聴者の操作により所望ジャンルを入力したとき、前記選局回路に対して前記検索リスト内のチャンネルを選局するよう制御すると共に、前記検索リスト内のチャンネルの選局によって得られるサービス情報内のジャンル情報と前記視聴者によって入力された所望のジャンル情報とを比較し、一致した場合にそのチャンネルと該チャンネルの番組情報の番組表示リストを前記記憶手段に作成して、前記表示手段にオンスクリーン表示データとして出力する手段と、視聴者の操作により前記のオンスクリーン表示された番組表示リストから所望の番組を選択したとき、その番組の伝送チャンネルを選局するように前記選局回路を制御する手段とを具備したことを特徴とする。


【手続補正１３】
【補正対象書類名】明細書
【補正対象項目名】００３４
【補正方法】変更
【補正の内容】
【００３４】
請求項３の発明においては、先ず、視聴者は視聴希望のジャンルを入力する。検索プログラムは予めよく見るチャンネル（例えば「好みチャンネル」）として登録されたチャンネルの検索リストより、入力されたジャンルと「お好みチャンネル」の検索リスト内の番組のジャンル情報とを比較しながら、一致した場合は番組表示リストに該当番組を追加していく。これを「お好みチャンネル」の検索リストの全チャンネルまで繰り返していく。


【手続補正１４】
【補正対象書類名】明細書
【補正対象項目名】００３５
【補正方法】変更
【補正の内容】
【００３５】
請求項４記載の発明は、各伝送チャンネル毎に番組検索のためのサービス情報が付加された放送信号を受信し、受信した放送信号から所定の伝送チャンネルを選局する選局回路と、前記選局回路により選局された信号を復調処理し、さらに番組検索を行うためのオンスクリーン表示データを付加して出力する復調及び映像・音声処理回路と、前記復調及び映像・音声処理回路からの信号を映像表示する表示手段と、前記選局回路により選局された信号に含まれる、前記サービス情報を抽出するデータ抽出回路と、視聴者の操作により入力された所望のジャンル情報を記憶する記憶手段と、前記データ抽出回路によって抽出されたサービス情報からジャンル情報を取得すると共に、前記記憶手段に記憶された所望のジャンル情報とを比較し、この所望のジャンル情報と一致するジャンル情報の付加された番組の伝送チャンネルの中から視聴者の操作により選局するように前記選局回路を制御する制御手段とを具備したディジタルデータ放送受信装置におけるジャンルによる番組検索を行う放送受信装置であって、前記制御手段は、予めチャンネル契約情報に基づき非契約チャンネルを除外した検索リストを前記記憶手段に作成する手段と、番組検索時には、視聴者の操作により所望ジャンルを入力したとき、前記選局回路に対して前記検索リスト内のチャンネルを選局するよう制御すると共に、前記検索リスト内のチャンネルの選局によって得られるサービス情報内のジャンル情報と前記視聴者によって入力された所望のジャンル情報とを比較し、一致した場合にそのチャンネルと該チャンネルの番組情報の番組表示リストを前記記憶手段に作成して、前記表示手段にオンスクリーン表示データとして出力する手段と、視聴者の操作により前記のオンスクリーン表示された番組表示リストから所望の番組を選択したとき、その番組の伝送チャンネルを選局するように前記選局回路を制御する手段とを具備したことを特徴とする。


【手続補正１５】
【補正対象書類名】明細書
【補正対象項目名】００３６
【補正方法】変更
【補正の内容】
【００３６】
請求項４の発明においては、先ず、視聴者は視聴希望ジャンルを入力する。検索プログラムは予め非契約チャンネルを除外した検索リストを所持しておき、入力されたジャンルと検索リスト内の番組のジャンル情報を比較しながら、一致した場合は番組表示リストに該当番組を追加していく。これを検索リストの全チャンネルまで繰り返していく。検索リストは、例えば、契約情報を管理しているＩＣカードよりチャンネル契約情報を取得し、生成されるものである。


【手続補正１６】
【補正対象書類名】明細書
【補正対象項目名】００３７
【補正方法】変更
【補正の内容】
【００３７】
請求項５記載の発明は、各伝送チャンネル毎に番組検索のためのサービス情報が付加された放送信号を受信し、受信した放送信号から所定の伝送チャンネルを選局する選局回路と、前記選局回路により選局された信号を復調処理し、さらに番組検索を行うためのオンスクリーン表示データを付加して出力する復調及び映像・音声処理回路と、前記復調及び映像・音声処理回路からの信号を映像表示する表示手段と、前記選局回路により選局された信号に含まれる、前記サービス情報を抽出するデータ抽出回路と、視聴者の操作により入力された所望のジャンル情報を記憶する記憶手段と、前記データ抽出回路によって抽出されたサービス情報からジャンル情報を取得すると共に、前記記憶手段に記憶された所望のジャンル情報とを比較し、この所望のジャンル情報と一致するジャンル情報の付加された番組の伝送チャンネルの中から視聴者の操作により選局するように前記選局回路を制御する制御手段とを具備したディジタルデータ放送受信装置におけるジャンルによる番組検索を行う放送受信装置であって、前記制御手段は、予め受信障害により視聴不能なチャンネルを除外した検索リストを前記記憶手段に作成する手段と、番組検索時には、視聴者の操作により所望ジャンルを入力したとき、前記選局回路に対して前記検索リスト内のチャンネルを選局するよう制御すると共に、前記検索リスト内のチャンネルの選局によって得られるサービス情報内のジャンル情報と前記視聴者によって入力された所望のジャンル情報とを比較し、一致した場合にそのチャンネルと該チャンネルの番組情報の番組表示リストを前記記憶手段に作成して、前記表示手段にオンスクリーン表示データとして出力する手段と、視聴者の操作により前記のオンスクリーン表示された番組表示リストから所望の番組を選択したとき、その番組の伝送チャンネルを選局するように前記選局回路を制御する手段とを具備したことを特徴とする。


【手続補正１７】
【補正対象書類名】明細書
【補正対象項目名】００３８
【補正方法】変更
【補正の内容】
【００３８】
請求項５の発明においては、先ず、視聴者は視聴希望ジャンルを入力する。検索プログラムは受信障害のチャンネルをサービス情報（ＳＩ）より判別し、そのチャンネルを除外した検索リストを所持しておき、入力されたジャンルと検索リスト内の番組のジャンル情報とを比較しながら、一致した場合は番組表リストに該当番組を追加していく。これを検索リストの全チャンネルまで繰り返していく。


【手続補正１８】
【補正対象書類名】明細書
【補正対象項目名】００３９
【補正方法】変更
【補正の内容】
【００３９】
請求項６記載の発明は、各伝送チャンネル毎に番組検索のためのサービス情報が付加された放送信号を受信し、受信した放送信号から所定の伝送チャンネルを選局する選局回路と、前記選局回路により選局された信号を復調処理し、さらに番組検索を行うためのオンスクリーン表示データを付加して出力する復調及び映像・音声処理回路と、前記復調及び映像・音声処理回路からの信号を映像表示する表示手段と、前記選局回路により選局された信号に含まれる、前記サービス情報を抽出するデータ抽出回路と、視聴者の操作により入力された所望のジャンル情報を記憶する記憶手段と、前記データ抽出回路によって抽出されたサービス情報からジャンル情報を取得すると共に、前記記憶手段に記憶された所望のジャンル情報とを比較し、この所望のジャンル情報と一致するジャンル情報の付加された番組の伝送チャンネルの中から視聴者の操作により選局するように前記選局回路を制御する制御手段とを具備したディジタルデータ放送受信装置におけるジャンルによる番組検索を行う放送受信装置であって、前記制御手段は、予め視聴履歴をとることによって得られた視聴割合の高いジャンルの上位数ジャンルを持ったチャンネルの検索リストを前記記憶手段に作成する手段と、番組検索時には、視聴者の操作により所望ジャンルを入力したとき、前記選局回路に対して前記検索リスト内のチャンネルを選局するよう制御すると共に、前記検索リスト内のチャンネルの選局によって得られるサービス情報内のジャンル情報と前記視聴者によって入力された所望のジャンル情報とを比較し、一致した場合にそのチャンネルと該チャンネルの番組情報の番組表示リストを前記記憶手段に作成して、前記表示手段にオンスクリーン表示データとして出力する手段と、視聴者の操作により前記のオンスクリーン表示された番組表示リストから所望の番組を選択したとき、その番組の伝送チャンネルを選局するように前記選局回路を制御する手段とを具備したことを特徴とする。


【手続補正１９】
【補正対象書類名】明細書
【補正対象項目名】００４０
【補正方法】変更
【補正の内容】
【００４０】
請求項６の発明においては、先ず、視聴者は視聴希望ジャンルを入力する。検索プログラムは予め視聴履歴をとり、視聴傾向の高いジャンルの上位数個（例えば１０ジャンル）をジャンルリストとして所持しておく。さらに、そのジャンルリストに従い該当ジャンルを持つチャンネルの検索リストを生成し、入力されたジャンルと検索リスト内の番組のジャンル情報とを比較しながら、一致した場合は番組表示リストに該当番組を追加していく。これを検索リストの全てのチャンネルまで繰り返していく。


【手続補正２０】
【補正対象書類名】明細書
【補正対象項目名】００４１
【補正方法】変更
【補正の内容】
【００４１】
請求項７記載の発明は、各伝送チャンネル毎に番組検索のためのサービス情報が付加された放送信号を受信し、受信した放送信号から所定の伝送チャンネルを選局する選局回路と、前記選局回路により選局された信号を復調処理し、さらに番組検索を行うためのオンスクリーン表示データを付加して出力する復調及び映像・音声処理回路と、前記復調及び映像・音声処理回路からの信号を映像表示する表示手段と、前記選局回路により選局された信号に含まれる、前記サービス情報を抽出するデータ抽出回路と、視聴者の操作により入力された所望のジャンル情報を記憶する記憶手段と、前記データ抽出回路によって抽出されたサービス情報からジャンル情報を取得すると共に、前記記憶手段に記憶された所望のジャンル情報とを比較し、この所望のジャンル情報と一致するジャンル情報の付加された番組の伝送チャンネルの中から視聴者の操作により選局するように前記選局回路を制御する制御手段とを具備したディジタルデータ放送受信装置におけるジャンルによる番組検索を行う放送受信装置であって、前記制御手段は、視聴者の操作により予め良く見るチャンネルを第１の検索リストとして前記記憶手段に登録する手段と、予めチャンネル契約情報に基づき非契約チャンネルを除外した第２の検索リストを前記記憶手段に作成する手段と、予め受信障害により視聴不能なチャンネルを除外した第３の検索リストを前記記憶手段に作成する手段と、予め視聴履歴をとることによって得られた視聴割合の高いジャンルの上位数ジャンルを持ったチャンネルの第４の検索リストを前記記憶手段に作成する手段と、視聴者の操作により前記記憶手段に登録或いは作成される第１〜４の検索リストから少なくとも１つを適宜に選択する手段と、番組検索時には、視聴者の操作により所望ジャンルを入力したとき、前記選局回路に対して前記第１〜４の検索リストの内の選択された検索リスト内のチャンネルを選局するよう制御すると共に、該選択された検索リスト内のチャンネルの選局によって得られるサービス情報内のジャンル情報と前記視聴者によって入力された所望のジャンル情報とを比較し、一致した場合にそのチャンネルと該チャンネルの番組情報の番組表示リストを前記記憶手段に作成して、前記表示手段にオンスクリーン表示データとして出力する手段と、視聴者の操作により前記のオンスクリーン表示された番組表示リストから所望の番組を選択したとき、その番組の伝送チャンネルを選局するように前記選局回路を制御する手段とを具備したことを特徴とする。


【手続補正２１】
【補正対象書類名】明細書
【補正対象項目名】００４２
【補正方法】変更
【補正の内容】
【００４２】
請求項７の発明においては、よく見るチャンネルとして登録されたチャンネルの第１の検索リスト、非契約チャンネルを除外したチャンネルの第２の検索リスト、受信障害チャンネルを除外したチャンネルの第３の検索リスト、視聴傾向の高いジャンルに該当するジャンルを有するチャンネルの第４の検索リスト、のうちから少なくとも１つを適宜に選択し、その選択された検索リストのチャンネルについて希望ジャンルに該当する番組を検索することができる。これにより、視聴者が検索範囲を自在に変更することが可能となる。


【手続補正２２】
【補正対象書類名】明細書
【補正対象項目名】００４３
【補正方法】変更
【補正の内容】
【００４３】
請求項８記載の発明は、請求項３〜７のいずれか１つに記載の放送受信装置における前記制御手段は、前記番組表示リストから選択した番組が現在放送されていない場合には、抽出されたサービス情報から前記番組の開始・終了時刻及び伝送チャンネルをタイマー予約データとして前記記憶手段に記憶させると共に、前記開始時刻に到達した場合には電源を投入して該制御手段を起動させて、前記タイマー予約データに基づく伝送チャンネルを選局するように制御する手段を具備したことを特徴とする。